(57)【要約】【課題】音圧を増幅しつつ原音再生能力の高い難聴者向けスピーカを提供する。【解決手段】スピーカ１０では、ボビン２４におけるコイル４８が巻回された方と反対側の端部がボビン２４の半径方向外側に向かって拡がっており、この拡がっている部分であるフランジ部５２が接着剤ＢＮＤにより振動部２１に接着されている。このため、振動部２１におけるフランジ部５２と接触部２１の間に挟まれた部分にだけ接着剤ＢＮＤを薄く塗付すれば十分な接合強度を確保することができる。【選択図】図２
2014068342.tif 000002
【特許請求の範囲】
【請求項１】
開口とこの開口に連通した空洞とを有するエンクロージャと、
前記開口に放音面を向けて支持された振動部と、
磁気ギャップを有し、この磁気ギャップを前記振動部に向けるようにして前記空洞側に支持された磁気回路と、
一端部の外周面にコイルが巻回され、前記コイルが巻回された方の端部が前記磁気ギャップ内に収められたボビンと、
筒体の一端側を外側に広げたような形状をなすカプラーであって、当該カプラーの内周面に前記ボビンにおける前記コイルが巻回された側と反対側の端部が接着されており、当該カプラーの外側に広がった部分が前記振動部に接着されているカプラーと
を具備し、
前記エンクロージャの内壁面は卵状に湾曲しており、
前記振動部は、中空ハニカム構造をなすハニカムコアと、前記ハニカムコアを両側から挟む２枚のアルミニウム製のフィルムとを有している
ことを特徴とする難聴者支援スピーカ。
【請求項２】
前記振動部が、前記エンクロージャにおける前記開口よりも前記空洞の内側に凹んだ位置に支持されていることを特徴とする請求項１に記載の難聴者支援スピーカ。
【請求項３】
前記エンクロージャにおける前記開口と前記振動部との間の部分が、直管状をなしていることを特徴とする請求項２に記載の難聴者支援スピーカ。
【請求項４】
前記ハニカムコアは、正六角形状をなしており、当該正六角形の一辺が１ｍｍであることを特徴とする請求項３に記載の難聴者支援スピーカ。
【発明の詳細な説明】
【技術分野】
【０００１】
この発明は、難聴および補聴器装着者への聴こえを改善する技術に関する。
【背景技術】
【０００２】
図１６（Ａ）は、従来の密閉型スピーカ７０の構造の一例を示す図である。図１６（Ａ）のスピーカ７０では、バックプレート７１上にこのプレート７１のセンターポール７２を囲む環状マグネット７３及び環状プレート７４が配置されている。環状プレート７４の前面にはフレーム７５のネック部が固定されている。環状プレート７４の内周面とセンターポール７２の外周面との間の空隙である磁気ギャップＧＰ１にはボイスコイルボビン７６におけるコイル７７が巻回された部分が収められている。ボイルコイルボビン７６の外周面における先端から僅かに離れた部分には振動板７８のネック部が接合されている。また、振動板７８の表面（放音面）におけるネック部の僅かに外側にはキャップ７９の周縁が接合されている。また、振動板７８及びボイスコイルボビン７６はフレーム７５の内周面により覆われており、ボビン７６の外周面とフレーム７５の内周面との間にはダンパー８０が架設されている。この種のスピーカの構成は、例えば、特許文献１に開示されている。
【先行技術文献】
【特許文献】
【０００３】
【特許文献１】特開２００３−１１６１９７号公報
【発明の概要】
【発明が解決しようとする課題】
【０００４】
図１６（Ｂ）の拡大図に示すように、この種のスピーカにおける振動板７８とボビン７６の接合部分は、振動板７８のネック部の先端をボビン７６の外周面に線接触させた構成になっており、キャップ７９と振動板７８の接合部分は、キャップ７９の周縁を振動板７８の表面に線接触させた構成になっていた。しかしながら、このような構成では、各線接触部分の前後両側に十分な量の接着剤ＢＮＤを塗付しないとその部分が容易に剥離してしまう。このため、従来のこの種のスピーカでは、音の濁りの原因となる物質である接着材の使用料が多くなり、原音再生能力を高め難いという問題があった。
【０００５】
本発明は、このような課題に鑑みてなされたものであり、原音再生能力の高いスピーカを提供することを目的とする。
【課題を解決するための手段】
【０００６】
上記課題を解決するため、本発明の好適な態様であるスピーカは、開口とこの開口に連通した空洞とを有するエンクロージャと、前記開口の内周に支持された振動部と、磁気ギャップを有し、この磁気ギャップを前記振動部に向けるようにして前記空洞側に支持された磁気回路と、一端部の外周面にコイルが巻回され、前記コイルが巻回された方の端部が前記磁気ギャップ内に収められるとともに前記コイルが巻回された方と反対側の端部が前記振動部に接着されたボビンとを具備し、前記ボビンにおける前記コイルが巻回された方と反対側の端部がボビンの半径方向外側に向かって拡がっており、この拡がっている部分が前記振動部に接着されていることを特徴とする
【０００７】
このスピーカでは、ボビンにおけるコイルが巻回された方と反対側の端部がボビンの半径方向外側に向かって拡がっており、この拡がっている部分が振動板に接着されている。このため、振動部におけるボビンの半径方向外側に拡がっている部分との間に挟まれた部分にだけ接着剤を薄く塗付すれば十分な接合強度を確保することができる。よって、本発明によると、振動板のネック部の先端をボビンの外周面に線接触させた構成のスピーカよりも接着剤の使用料が抑えられる。従って、本発明によると、振動板のネック部の先端をボビンの外周面に線接触させた構成のスピーカよりも原音再生能力の高いスピーカを提供することができる。
【０００８】
本発明の別の好適な態様である難聴者支援スピーカは  開口とこの開口に連通した空洞とを有するエンクロージャと、前記開口に放音面を向けて支持された振動部と、磁気ギャップを有し、この磁気ギャップを前記振動部に向けるようにして前記空洞側に支持された磁気回路と、一端部の外周面にコイルが巻回され、前記コイルが巻回された方の端部が前記磁気ギャップ内に収められたボビンと、筒体の一端側を外側に広げたような形状をなすカプラーであって、当該カプラーの内周に前記ボビンにおける前記コイルが巻回された側と反対側の端部が接着されており、当該カプラーの外側に広がった部分が前記振動部に接着されているカプラーとを具備し、前記エンクロージャの内壁面は卵状に湾曲しており、前記振動部は、中空ハニカム構造をなすハニカムコアと、前記ハニカムコアを両側から挟む２枚のアルミニウム製のフィルムとを有していることを特徴とする。
【０００９】
この難聴者支援スピーカでは、エンクロージャの内壁面は卵状に湾曲している。エンクロージャの内壁面が卵状に湾曲していると、空洞内で定在波が発生し難くなる。このため、エンクロージャ内において発生した定在波が音を濁らせて明瞭度が下がる、ということが起こり難くなる。よって、難聴者支援スピーカを医療機関の診察室内に設置して利用することにより、医師と難聴者との間の対話をより円滑に行わせることができる。
【図面の簡単な説明】
【００１０】
【図１】本発明の第１実施形態であるスピーカの正面図である。
【図２】図１のＡ−Ａ’線断面図及びこの断面図の一部を拡大した図である。
【図３】図１のスピーカにおけるボビンの側面図および斜視図である。
【図４】本発明の第２実施形態である難聴者支援スピーカの正面図及び側面図である。
【図５】図４の難聴者支援スピーカの利用の仕方を示す図である。
【図６】図４（Ａ）のＣ−Ｃ’線断面図である。
【図７】図４の難聴者支援スピーカにおけるスピーカユニットの正面図、下面図、断面図、及び裏面図である。
【図８】本発明の第２実施形態の効果の検証の内容を示す図である。
【図９】本発明の第２実施形態の効果の検証の内容を示す図である。
【図１０】本発明の第２実施形態の検証の結果を示す図である。
【図１１】本発明の第２実施形態の検証の結果を示す図である。
【図１２】本発明の第２実施形態の検証の結果を示す図である。
【図１３】本発明の第２実施形態の効果の検証の内容を示す図である。
【図１４】本発明の第２実施形態の検証の結果を示す図である。
【図１５】本発明の第２実施形態の検証の結果を示す図である。
【図１６】従来のスピーカの断面図及びこの断面図の一部を拡大した図である。
【発明を実施するための形態】
【００１１】
以下、図面を参照しつつ本発明の実施形態について説明する。
＜第１実施形態＞
図１は、本発明の第１実施形態であるスピーカ１０の正面図である。図２（Ａ）は、図１のＡ−Ａ’線断面図である。このスピーカ１０のエンクロージャ１１は開口１２とこの開口１２に連通した空洞１３とを有している。エンクロージャ１１は略卵状をなしている。エンクロージャ１１における空洞１３を囲む外殻壁の厚さは均一になっている。エンクロージャ１１の内壁面１４は空洞１３が略卵状をなすように湾曲している。エンクロージャ１１の外壁面１５には脚１６が固定されている。エンクロージャ１１の開口１２は真円状をなしている。この開口１２にはスピーカユニット２０が嵌め込まれている。
【００１２】
スピーカユニット２０は、与えられた電気信号を空気の粗密波である音波として放射する装置である。スピーカユニット２０は、振動部２１と、この振動部２１を空洞１３側から覆うフレーム２２と、フレーム２２における振動部２１と反対側の端部に設けられた磁気回路２３と、フレーム２２内における振動部２１と磁気回路２３との間に介在するボビン２４とを有する。
【００１３】
振動部２１は、中空ハニカム構造をなすハニカムコア２５とこのハニカムコア２５を両側から覆う２枚のアルミニウム製のフィルム２６及び２７とを有する。振動部２１のフィルム２６及び２７は開口１２よりも僅かに小さな直径を持った真円状をなしている。振動部２１のフィルム２６の外周はエッジ部４９を介して開口１２の内周に支持されている。
【００１４】
フレーム２２は略円錐状をなしている。フレーム２２における軸方向の一方の側と他方の側には真円状の開口がある。フレーム２２は、２つの開口のうち直径の大きい方の開口を振動部２１に向けてエンクロージャ１１の開口１２の内周の部分に固定されている。
【００１５】
磁気回路２３は、ヨーク２８、永久磁石２９、及びプレート３０を一体化した部材である。磁気回路２３は、磁気ギャップＧＰ２を振動部２１に向けるようにして同部２１の空洞１３側に支持されている。より具体的に説明すると、磁気回路２３のヨーク２８は、円盤部３１および同部３１と中心軸を共有するセンターポール部３２を有する。ヨーク２８における円盤部３１及びセンターポール部３２の中心軸を通る面を切断面として切断した断面（図２（Ａ）に示す断面）は凸字状をなしている。
【００１６】
永久磁石２９は、円環状をなしている。この永久磁石２９は、厚み方向に対向する端面４２及び４３のうち一方の端面（例えば、端面４２）にＮ極があり、もう一方の端面（例えば、端面４３）にＳ極がある。永久磁石２９内の孔の内周径はセンターポール部３２の外周径より大きくなっている。永久磁石２９の端面４２は円盤部３１におけるセンターポール部３２のある側の端面４１に固定されている。センターポール部３２は永久磁石２９内の孔の略中心を通って永久磁石２９の端面４３の側に突出している。
【００１７】
プレート３０は、永久磁石２９よりも幅薄な円環状をなしている。プレート３０内の孔の内周径は、センターポール部３２の外周径より大きく永久磁石２９内の孔の内周径より小さくなっている。プレート３０における一方の端面４４は永久磁石２９の端面４３に固定されている。プレート３０における他方の端面４５は、フレーム２２における直径の小さい方の開口を囲む端面４６に固定されている。プレート３０内の孔の内周面はセンターポール部３２における永久磁石２９から突出した部分の外周面を包囲している。そして、このプレート３０の内周面とセンターポール部３２の外周面との間の隙間が磁気ギャップＧＰ２を形成している。
【００１８】
ボビン２４は、円筒状の筒部５１（図２（Ｂ））の一端部の外周面にコイル４８を巻回するとともに、コイル４８が巻回された方と反対側の端部をフランジ部５２（図２（Ｂ））としてボビン２４の半径方向外側に拡げたものである。ボビン２４の筒部５１の外周面とフレーム２２の内周面との間にはダンパー４７が架設されている。図３（Ａ）は、図２（Ａ）のボビン２４の拡大図である。図３（Ｂ）は、図３（Ａ）の斜視図である。図３（Ａ）及び図３（Ｂ）に示すように、ボビン２４のフランジ部５２は円環状をなしている。フランジ部５２の半径方向の寸法（フランジ部５２の中心からフランジ部５２の外周面に向かう方向の幅の寸法）は筒部５１の直径よりも小さくなっている。また、フランジ部５２の厚み方向に対向する端面６１及び６２は筒部５１の延在方向と直交している。
【００１９】
図２（Ａ）に示すように、ボビン２４におけるコイル４８が巻回された方の端部は磁気回路２３の磁気ギャップＧＰ２内に収められている。また、図２（Ｂ）の拡大図に示すように、ボビン２４におけるコイル４８が巻回されている方と反対側の端部であるフランジ部５２の端面６２は、軟性接着剤ＢＮＤにより振動部２１のフィルム２７に接着されている。ボビン２４のフランジ部５２の端面６２と振動部２１のフィルム２７は平行に対峙している。そして、このフランジ部５２の端面６２と振動部２１のフィルム２７との間には軟性接着剤ＢＮＤが略均一の厚さで塗られている。
【００２０】
この磁気回路２３では、永久磁石２９が発生した磁力線が、ヨーク２８およびプレート３０を一巡し、この磁力線が磁気ギャップＧＰ２を横切る。このため、ボビン２４のコイル４８に音信号の電流を流すと、ボビン２４にはコイル４８の延在方向と直交する方向の駆動力が与えられ、ボビン２４とその端部が接着された振動部２１が振動する。この振動部２１の振動により発生した空気の粗密波が音波として前方に放射される。
【００２１】
以上が、本実施形態の構成の詳細である。本実施形態によると、次の効果が得られる。
第１に、本実施形態では、ボビン２４におけるコイル４８が巻回された方と反対側の端部がボビン２４の半径方向外側に向かって拡がっており、この拡がっている部分であるフランジ部５２が振動部２１に接着されている。このため、振動部２１におけるボビン２４のフランジ部５２との間に挟まれた部分にだけ接着剤ＢＮＤを薄く塗付すれば十分な接合強度を確保することができる。よって、本実施形態によると、振動部のネック部の先端をボビンの外周面に線接触させた構成のスピーカよりも接着剤の使用料が抑えられる。従って、本実施形態によると、振動部のネック部の先端をボビンの外周面に線接触させた構成のスピーカよりも原音再生能力の高いスピーカを提供することができる。
【００２２】
第２に、本実施形態では、振動部２１は、中空ハニカム構造をなすハニカムコア２５と、ハニカムコア２５を両側から挟む２枚のアルミニウム製のフィルム２６，２７とから構成されている。このため、他の構成を持った振動部を有するスピーカよりも高音域の再現能力を高くすることができる。
【００２３】
第３に、本実施形態では、ボビン２４の端部におけるボビン２４の半径方向外側に向かって広がっている部分は円環状のフランジ部５２を形成し、フランジ部５２とフィルム２７とが平行に対峙している。このため、フランジ部５２とフィルム２７の間に塗付する接着剤ＢＮＤの厚みを均一にし易くなる。よって、本実施形態によると、ボビン２４と振動部２１との接合部分の接着剤ＢＮＤのムラが少なくなり、ボビン２４がより一層剥離し難くなる。
【００２４】
第４に、本実施形態では、エンクロージャ１１の内壁面１４は、空洞１３が略卵状をなすように湾曲している。よって、本実施形態によると、振動部２１から空洞１３に放射された音波が内壁面１４を往復移動しなくなる。従って、本実施形態によると、空洞１３内における定在波の発生を抑制することができる。
【００２５】
＜第２実施形態＞
次に、本発明の第２実施形態である難聴者支援スピーカ１０Ａについて説明する。図４（Ａ）は、難聴者支援スピーカ１０Ａの正面図である。図４（Ｂ）は、難聴者支援スピーカ１０Ａの側面図である。難聴者支援スピーカ１０Ａは、医療機関の診察室における医師と難聴者との対話を支援するものである。図５は、難聴者支援スピーカ１０Ａの利用のされ方を示す図である。図５に示すように、難聴者支援スピーカ１０Ａは脚２０１を装着した上で診察室における難聴者の着座位置の前方の台２０２に置かれる。難聴者支援スピーカ１０Ａは、医師の着座位置の近傍のマイクロホン２０３とケーブル（不図示）を介して接続される。マイクロホン２０３は、医師の発した音声を収音して音信号を出力し、難聴者支援スピーカ１０Ａは、この音信号を難聴者に向けて放音する。
【００２６】
図６は、図４（Ａ）のＣ−Ｃ’線断面図である。図４（Ａ）、図４（Ｂ）、及び図６に示すように、難聴者支援スピーカ１０Ａは、エンクロージャ１１１とこの中に収められたスピーカユニット１２０とを有する。エンクロージャ１１１は、２つの椀体２１１及び２１２を全体として中空な卵状をなすように接合したものである。エンクロージャ１１１をなす椀体２１１及び２１２の外周面の直径は両者の接合部分Ｚにおいて最大幅φ１（φ１＝１０８．０１ｍｍ）となっている。椀体２１１の外周面の直径は接合部分Ｚから後方に離れるに従って緩やかに小さくなっている。椀体２１１の外周面の直径は接合部分Ｚから後方に距離Ｗ２（Ｗ２＝１０３．１２ｍｍ）だけ離れた位置において最小幅φ２（φ２＝２０．００ｍｍ）となっている。椀体２１１における空洞１１３に臨む内壁面１１４は卵状（より具体的には、卵を半割した形）をなしている。
【００２７】
椀体２１１には、後端面と内部の空洞１１３との間を貫く孔２０４が穿設されている。この孔２０４は、ケーブルをエンクロージャ１１１内に挿入するためのものである。椀体２１１の外殻には、空洞１１３側に向かって凹んだ凹部２０５がある。エンクロージャ１１１には凹部２０５から椀体２１１を貫いて椀体２１２に伸びる孔２０６がある。この凹部２０５と孔２０６は、脚２０１（図５）を装着するためのものである。
【００２８】
椀体２１２の外周面の直径は接合部分Ｚから前方に離れるに従って緩やかに小さくなっている。椀体２１２の外周面の直径は接合部分Ｚから前方に幅Ｗ３（Ｗ３＝４４．９０ｍｍ）だけ離れた位置において最小幅φ３（φ３＝７７．０９ｍｍ）となっている。椀体２１２には、椀体２１２の前端を開口１１２として空洞１１３側に直管状に延伸する孔２０７が穿設されている。この孔２０７は、直径φ４（φ４＝６１．８９ｍｍ）及び奥行幅Ｗ４（Ｗ４＝３０．００ｍｍ）の寸法を有している。
【００２９】
スピーカユニット１２０は、振動部１２１を開口１１２に向けて孔２０７における開口１１２と反対側の縁に固定されている。図７（Ａ）は、スピーカユニット１２０の正面図である。図７（Ｂ）は、図７（Ａ）を矢印Ｂ方向から見た図（下面図）である。図７（Ｃ）は、図７（Ａ）のＣ−Ｃ’線断面図である。図７（Ｄ）は、図７（Ａ）の背面図である。図７（Ａ）、図７（Ｂ）、図７（Ｃ）、図７（Ｄ）に示すように、スピーカユニット１２０のフレーム１２２の前面には振動部１２１が埋め込まれている。振動部１２１は、エッジ１４９を介してフレーム１２２の前面の開口に支持されている。
【００３０】
振動部１２１は、ハニカムコア１２５とこのハニカムコア１２５を両側から覆う２枚のアルミニウム製のフィルム１２６及び１２７とを有する。振動部１２１における２枚のフィルム１２６及び１２７は接着剤によってハニカムコア１２５に貼り付けられている。図７の拡大枠内に示すように、振動部１２１のハニカムコア１２５は正六角形状をなしている。この正六角形の１辺の長さは１ｍｍである。
【００３１】
フレーム１２２における振動部１２１の背後には磁気回路１２３が支持されている。磁気回路１２３は、ポットヨーク１２８、永久磁石１２９、ポールピース１３０を一体化したものである。この磁気回路１２３の磁気ギャップＧＰ３（ポールピース１３０とポットヨーク１２８との間の環状の隙間）は振動部１２１に向けられている。
【００３２】
フレーム１２２内における磁気回路１２３と振動部１２１との間にはボビン１２４とカプラー１９９を連結したものがある。第１実施形態と異なり、ボビン１２４は筒状をなしている。カプラー１９９は、ボビン１２４よりも十分に小さな高さをもった筒体の一端を半径方向外側に広げたような形状を有している。カプラー１９９の内周面の直径は、ボビン１２４の外周面の直径と同じである。ボビン１２４の一端にはコイル１４８が巻回されている。ボビン１２４におけるコイル１４８が巻回されている側の端部は磁気ギャップＧＰ３に収められている。ボビン１２４におけるコイル１４８が巻回されている側と反対側の端部はカプラー１９９内に収められている。カプラー１９９の内周面とボビン１２４の外周面の当接部分は接着されている。カプラー１９９における半径方向外側に広がった部分は振動部１２１に接着されている。ボビン１２４の外周面とフレーム１２２の内周面との間にはダンパー１４７が架設されている。
【００３３】
フレーム１２２にはプラス電極２０７及びマイナス電極２０８が設けられている。プラス電極２０７及びマイナス電極２０８は、ボビン１２４に巻回されたコイル１４８の一端及び他端と各々接続されている。また、プラス電極２０７及びマイナス電極２０８には、孔２０４から空洞１１３に引き込まれたケーブル内の各電線が接続される。
【００３４】
以上が、本実施形態の構成の詳細である。本実施形態によると、次の効果が得られる。
第１に、本実施形態では、難聴者支援スピーカ１０Ａのエンクロージャ１１１の内壁面は卵状に湾曲している。上述したように、エンクロージャ１１１の内壁面が卵状に湾曲していると、空洞１１３内で定在波が発生し難くなる。このため、本実施形態では、エンクロージャ１１１内において発生した定在波が音を濁らせて明瞭度が下がる、ということが起こり難くなる。よって、本実施形態によると、医師と難聴者との間の対話をより円滑に行わせることができる。
【００３５】
第２に、本実施形態では、カプラー１９９の内周面にボビン１２４におけるコイル１４８が巻回された側と反対側の端部が接着されており、カプラー１９９の外側に広がった部分が振動部１２１に接着されている。このようにボビン１２４と振動部１２１との間にカプラー１９９を介在させると、ボビン１２４と振動部１２１とを線接触させずに済むため、音の濁りの原因となる物質である接着剤の使用量が抑えられる。よって、本実施形態によると、難聴者に聴取させる音の明瞭度をより向上させることができる。
【００３６】
第３に、本実施形態では、振動部１２１は、中空ハニカム構造をなすハニカムコア１２５と、ハニカムコア１２５を両側から挟む２枚のアルミニウム製のフィルム１２６、１２７とを有している。ここで、コーン型のスピーカユニットでは、振動板（コーン紙）とキャップが振動して音波が作られる。これに対し、中空ハニカム構造のスピーカユニットでは、正面側のフィルム、背面側のフィルム、及びハニカムコアが振動して音波が作られる。よって、正面から見た音の放射面の広さが同じであれば、コーン型のスピーカユニットよりも中空ハニカム構造のスピーカユニットの方が音波の生成に寄与する部分の面積は広くなり、背面側のフィルムとハニカムコアの面積相当分だけ音の体積速度も大きくなる。よって、本実施形態によると、難聴者の聴き取りに十分な音圧レベルの音の放音が可能でありながらコンパクトで持ち運びが容易な難聴者支援スピーカを提供することができる。
【００３７】
第４に、本実施形態では、振動部１２１がエンクロージャ１１１の孔２０７における開口１１２よりも空洞１１３の内側に凹んだ位置に支持されている。振動部１２１が開口１１２よりも奥に設置されているものは振動部１２１が開口１１２と略面一で設置されているものよりも音の指向性が強くなり、その分だけ正面方向の音の距離減衰が小さくなる。このため、本実施形態では、難聴者支援スピーカ１０Ａを正面を難聴者に向けて設置した場合に、難聴者により高い音圧レベルの音を聴かせることができる。よって、本実施形態によると、難聴者の聴き取りに十分な音圧レベルの音の放音が可能でありながら消費電力の小さな難聴者用スピーカを提供することができる。
【００３８】
第５に、本実施形態では、振動体のハニカムコア１２５は正六角形状をなしており、当該正六角形の一辺が１ｍｍとなっている。ここで、中空ハニカム構造の振動体では、ハニカムコアの面積相当分だけ音の体積速度が大きくなるのであるから、音圧レベルの向上という観点から見れば、ハニカムコアの六角形の目を可能な限り細かくして面積を大きくした方が有利である。しかし、振動体におけるハニカムコアとフィルムの接合には接着剤を使うため、ハニカムコアの六角形の目を細かくしすぎると、ハニカムコアにおける２枚のフィルムに挟まれた空間に接着剤が詰まって音を濁らせてしまう恐れがある。本願発明者らは、ハニカムコアの寸法を様々に変えて音の明瞭度を調べ、音の明瞭度を確保し得る寸法の下限は１ｍｍであることを確認している。よって、本実施形態によると、難聴者における音の聴き取り易さをより一層高めることができる。
【００３９】
ここで、本願発明者らは、マイクロホンからスピーカを経由して放音される発話音の聴き取り易さが受聴点における音の音圧（ｄＢ）と音の明瞭度の２つの要素に依存すると考えている。本願発明者らは、このような考えの下、本実施形態の効果を確認するために次の４つの検証を行った。第１の検証では、本願発明者らは、卵状のエンクロージャにハニカムフラット型のスピーカユニットを搭載したスピーカと直方体状のエンクロージャにコーン型のスピーカユニットを搭載したスピーカの２つのスピーカを比較対象とした。
【００４０】
その上で、４人の難聴者を被験者とし、２つスピーカから５７−Ｓ語表（日本オージオロジー学会で定めた数字語表および日本語単音節５０語よりなる語音検査用語表）の各音を同じ音圧レベルで放音し、各被験者に音韻の種類を答えさせて正誤を記録した。この試験では、４名の被験者の全てにおいて、卵状のスピーカを使った場合の方が聴き取りに成功した音の種類は多かった。また、４人の被験者の全てが、卵状のスピーカの方が聴き取り易かったとの印象を述べた。この試験の結果によると、本実施形態の難聴者支援スピーカ１０Ａは、音の聴き取り易さという点において従来の一般的な音響スピーカ（直方体状のエンクロージャにコーン型のスピーカユニットを搭載したもの）よりも優れていることが裏付けられる。
【００４１】
第２の検証では、本願発明者らは、図８に示すように、直方体状のエンクロージャの前面の開口にハニカムフラット型のスピーカユニットを略面一に取り付けたスピーカＳＰ２１、及び卵型のエンクロージャの前面の開口にハニカムフラット型のスピーカユニットを略面一に取り付けたスピーカＳＰ２２の２つのスピーカを比較対象とした。これら２つのスピーカＳＰ２１、ＳＰ２２のスピーカユニットの放音面の面積は略同じにし、エンクロージャ内の空洞の容積も略同じにした。
【００４２】
その上で、本願発明者らは、２つのスピーカＳＰ２１、ＳＰ２２の各々の振動部の中心から正面方向に１メートル離れた点、及び５メートル離れた点の２点をマイクロホンＭＩＣの設置位置（測定点）とし、スピーカＳＰ２１、ＳＰ２２の各々に４００Ｈｚと８００Ｈｚの正弦波を入力したときの測定点の平均音圧レベルを測定した。時間平均音圧レベルの平均化時間は１０秒間とした。測定の結果は以下の表の通りである。
【表１】
2014068342.tif 000003
【表２】
2014068342.tif 000004
【００４３】
この測定結果では、１メートル離れた点と５メートル離れた点のいずれについても、スピーカＳＰ２２の方が時間平均音圧レベルは高くなっている。この測定結果によると、スピーカのエンクロージャを卵型にすると正面方向の各受聴点の音圧レベルが高くなる、ということが裏付けられる。
【００４４】
第３の検証では、本願発明者らは、図９に示すように、上記第２実施形態の難聴者支援スピーカ１０Ａと同じ構造のスピーカＳＰ３１、及びこのスピーカＳＰ３１よりもスピーカユニット１２０の取付位置を２５ｍｍだけ前方にしたスピーカＳＰ３２の２つをスピーカを比較対象とした。
【００４５】
その上で、本願発明者らは、２つのスピーカＳＰ３１、ＳＰ３２の各々の振動部の中心部から正面方向に１メートル離れた点、４メートル離れた点、及び５メートル離れた点の３点をマイクロホンＭＩＣの設置位置（測定点）とし、スピーカＳＰ３１、ＳＰ３２の入力端子に２０Ｈｚから２００００Ｈｚの間の各周波数の正弦波を入力したときの音圧レベルを測定した。
【００４６】
図１０（Ａ）は、スピーカＳＰ３１及びマイクロホンＭＩＣ間の距離を１メートルとしたときのスピーカＳＰ３１の音の音圧レベルの測定値のグラフＬＰＳ（ＳＰ３１）である。図１０（Ｂ）は、スピーカＳＰ３２及びマイクロホンＭＩＣ間の距離を１メートルとしたときのスピーカＳＰ３２の音の音圧レベルの測定値のグラフＬＰＳ（ＳＰ３２）である。図１０（Ｃ）は、図１０（Ａ）及び図１０（Ｂ）の２つのグラフＬＰＳ（ＳＰ３１）及びＬＰＳ（ＳＰ３２）を同じ周波数軸上に重ねたものである。
【００４７】
図１１（Ａ）は、スピーカＳＰ３１及びマイクロホンＭＩＣ間の距離を４メートルとしたときのスピーカＳＰ３１の音の音圧レベルの測定値のグラフＬＰＳ（ＳＰ３１）である。図１１（Ｂ）は、スピーカＳＰ３２及びマイクロホンＭＩＣ間の距離を４メートルとしたときのスピーカＳＰ３２の音の音圧レベルの測定値のグラフＬＰＳ（ＳＰ３２）である。図１１（Ｃ）は、図１１（Ａ）及び図１１（Ｂ）の２つのグラフＬＰＳ（ＳＰ３１）及びＬＰＳ（ＳＰ３２）を同じ周波数軸上に重ねたものである。
【００４８】
図１２（Ａ）は、スピーカＳＰ３１及びマイクロホンＭＩＣ間の距離を５メートルとしたときのスピーカＳＰ３１の音の音圧レベルの測定値のグラフＬＰＳ（ＳＰ３１）である。図１２（Ｂ）は、スピーカＳＰ３２及びマイクロホンＭＩＣ間の距離を５メートルとしたときのスピーカＳＰ３２の音の音圧レベルの測定値のグラフＬＰＳ（ＳＰ３２）である。図１２（Ｃ）は、図１２（Ａ）及び図１２（Ｂ）の２つのグラフＬＰＳ（ＳＰ３１）及びＬＰＳ（ＳＰ３２）を同じ周波数軸上に重ねたものである。
【００４９】
この測定結果では、１ｍ、４ｍ、及び５ｍの３つの測定点のいずれについても、難聴者の音の聴き取り易さに影響を与えやすいとされている１ｋＨｚ〜２ｋＨｚの音圧レベルはスピーカＳＰ３１の方が高くなっている。この測定結果によると、スピーカユニットをエンクロージャの開口よりも奥に備え付けた場合に正面方向における音の聴こえ易さに寄与する帯域の音圧レベルは高くなる、ということが裏付けられる。
【００５０】
第４の検証では、本願発明者らは、図１３に示すように、第３の検証のものと同じ2つのスピーカＳＰ３１（難聴者支援スピーカ１０Ａと同じ構造のスピーカ）及びＳＰ３２（スピーカユニットの位置を２５ｍｍだけ前に移動させたスピーカ）を比較対象とした。
【００５１】
その上で、本願発明者らは、２つのスピーカＳＰ３１、ＳＰ３２の各々の振動部の中心部から正面方向に１メートル離れた点、及び４メートル離れた点の２点をマイクロホンＭＩＣの設置位置（測定点）とした。そして、スピーカＳＰ３１、ＳＰ３２の入力端子にホワイトノイズを入力し、各測定点のマイクロホンＭＩＣにより収音した音の音信号にＦＦＴ（Fast Fourier Transform）を施し、１／３オクターブバンドの中心周波数の音圧レベルを求めた。
【００５２】
図１４（Ａ）は、スピーカＳＰ３１及びマイクロホンＭＩＣ間の距離を１メートルとしたときのスピーカＳＰ３１の音の音圧レベルの測定値のグラフＬＰＮ（ＳＰ３１）である。図１４（Ｂ）は、スピーカＳＰ３２及びマイクロホンＭＩＣ間の距離を１メートルとしたときのスピーカＳＰ３２の音の音圧レベルの測定値のグラフＬＰＮ（ＳＰ３２）である。図１４（Ｃ）は、図１４（Ａ）及び図１４（Ｂ）の２つのグラフＬＰＮ（ＳＰ３１）及びＬＰＮ（ＳＰ３２）を同じ周波数軸上に重ねたものである。
【００５３】
図１５（Ａ）は、スピーカＳＰ３１及びマイクロホンＭＩＣ間の距離を４メートルとしたときのスピーカＳＰ３１の音の音圧レベルの測定値のグラフＬＰＮ（ＳＰ３１）である。図１５（Ｂ）は、スピーカＳＰ３２及びマイクロホンＭＩＣ間の距離を４メートルとしたときのスピーカＳＰ３２の音の音圧レベルの測定値のグラフＬＰＮ（ＳＰ３２）である。図１５（Ｃ）は、図１５（Ａ）及び図１５（Ｂ）の２つのグラフＬＰＮ（ＳＰ３１）及びＬＰＮ（ＳＰ３２）を同じ周波数軸上に重ねたものである。
【００５４】
この測定結果では、１ｍ及び４ｍの２つの測定点のいずれについても、難聴者の音の聴き取り易さに影響を与えやすいとされている１ｋＨｚ〜２ｋＨｚの音圧レベルはスピーカＳＰ３１の方が高くなっている。この測定結果によっても、スピーカユニットをエンクロージャの開口よりも奥に備え付けた場合に正面方向における音の聴こえ易さに寄与する帯域の音圧レベルは高くなる、ということが裏付けられる。
【００５５】
以上、本発明の第１及び第２実施形態について説明したが、かかる実施形態に以下の変形を加えてもよい。
（１）上記第１実施形態では、エンクロージャ１１は略卵状をなしていた。しかし、エンクロージャ１１を矩形状にしてもよい。
【００５６】
（２）上記第１実施形態では、振動部２１は、ハニカムコア２５とフィルム２６及び２７とから構成されていた。しかし、この振動部２１を、コーン紙とキャップとから構成されるものに置き換えてもよい。この場合、ボビン２４の端部（コイル４８が巻回されている方と反対側の端部）であるフランジ部５２の拡散の方向をコーン紙の外周をなすテーパ面の角度と同じにするとよい。
【符号の説明】
【００５７】
１０，７０…スピーカ、１１、１１１…エンクロージャ、１２、１１２…開口、１３、１１３…空洞、１４…内壁面、１５…外壁面、１６、２０１…脚、２１、１２１…振動部、２２、１２２…フレーム、２３１２３…磁気回路、２４，７６、１２４…ボビン、２５、１２５…ハニカムコア、２６，２７、１２６、１２７…フィルム、２８…ヨーク部、２９、１２９…永久磁石、３０…プレート、３１…円盤部、３２，７２…センターポール部、４８、１４８…、４９…エッジ部、５１…筒部、５２…フランジ部、７１…バックプレート、７８…振動板、７９…キャップ。
【図２】
2014068342.tif 000005
【図４】
2014068342.tif 000006
【図５】
2014068342.tif 000007
【図６】
2014068342.tif 000008
【図７】
2014068342.tif 000009
【図８】
2014068342.tif 000010
【図９】
2014068342.tif 000011
【図１３】
2014068342.tif 000012
【図１６】
2014068342.tif 000013
【図１】
2014068342.tif 000014
【図３】
2014068342.tif 000015
【図１０】
2014068342.tif 000016
【図１１】
2014068342.tif 000017
【図１２】
2014068342.tif 000018
【図１４】
2014068342.tif 000019
【図１５】
2014068342.tif 000020